(57)【要約】【課題】虹彩の認証に先立って予め目の画像を装置の表示画面の認証可能領域に位置合わせする際の表示画面の表示制御に対する簡易、的確化を図る。【解決手段】照明用光源２２ａにより、個人の目に光を照射する。表示制御部２４で撮影の解像度が制御される撮影部２１により、光が照射された目を撮影してこの目の画像を取得する。表示部２５により、取得された目の画像を表示画面に表示する。目画像判定部２８により、表示画面上に設定された表示領域の指定範囲内に目の画像が存在するか否かを判定する。表示制御部２４は、前記判定結果が「在り」のときには、撮影部２１の解像度を高くして、この高い解像度の撮影部２１で取得された目の画像を表示領域内に表示させる。虹彩認識部２６により、高い解像度の撮影部２１で取得された目の画像から虹彩データを抽出してこの抽出された虹彩データと予め登録された虹彩データとを照合して目の画像を認識する。【選択図】図１
2009199392.tif 000002
【特許請求の範囲】
【請求項１】
個人の目に光を照射する照明処理と、
制御手段により撮影の解像度が制御される撮影手段により、前記光が照射された目を撮影して前記目の画像を取得する画像取得処理と、
前記取得された目の画像を表示画面に表示する表示処理と、
前記表示画面上に設定された表示領域の指定範囲内に前記目の画像が存在するか否かを判定する判定処理と、
前記判定結果が「在り」のときには、前記制御手段により、前記撮影手段の解像度を高くして、前記高い解像度の撮影手段で取得された前記目の画像を前記表示領域内に表示させる制御処理と、
前記高い解像度の撮影手段で取得された前記目の画像から虹彩データを抽出してこの抽出された虹彩データと予め登録された虹彩データとを照合して前記目の画像を認識する認識処理と、
を有することを特徴とする虹彩認証方法。
【請求項２】
個人の目に光を照射する照明手段と、
撮影の解像度が可変され、前記可変された解像度に基づき、前記光が照射された目を撮影して前記目の画像を取得する撮影手段と、
表示領域の指定範囲が設定された表示画面を有し、前記取得された目の画像を前記表示画面に表示する表示手段と、
前記表示領域の指定範囲内に前記目の画像が存在するか否かを判定する判定手段と、
前記判定結果が「在り」のときには、前記撮影手段の解像度を高くして、前記高い解像度の撮影手段で取得された前記目の画像を前記表示領域内に表示させる制御手段と、
前記高い解像度の撮影手段で取得された前記目の画像から虹彩データを抽出し、前記抽出された虹彩データと予め登録された虹彩データとを照合して前記目の画像を認識する認識手段と、
を有することを特徴とする虹彩認証装置。
【請求項３】
前記撮影手段は、前記撮影の解像度が低解像度モード又は高解像度モードに切り替えて設定され、前記設定された低解像度モード又は高解像度モードの解像度に基づき、前記光が照射された目を撮影して前記目の画像を取得する機能を有し、
前記制御手段は、前記判定結果が「在り」のときには、前記撮影手段の解像度を前記低解像度モードから前記高解像度モードへ切り替えて、前記高い解像度の撮影手段で取得された前記目の画像を前記表示領域内に表示させる機能を有することを特徴とする請求項２記載の虹彩認証装置。
【請求項４】
前記制御手段は、前記判定結果が「在り」のときには、前記目の位置と、前記表示領域内の適正位置とのずれの量に応じて、前記撮影手段の解像度を高くして、前記高い解像度の撮影手段で取得された前記目の画像を前記表示領域内に表示させる機能を有することを特徴とする請求項２記載の虹彩認証装置。
【請求項５】
個人の目に光を照射する照明処理と、
撮影の解像度が異なる複数の撮影手段により、前記光が照射された目をそれぞれ撮影して前記目の画像をそれぞれ取得する画像取得処理と、
前記取得された目の画像を表示画面に表示する表示処理と、
前記解像度の低い撮影手段により撮影された前記目の画像が、前記表示画面上に設定された表示領域の指定範囲内に存在するか否かを判定する判定処理と、
前記判定結果が「在り」のときには、制御手段により、前記解像度の低い撮影手段から前記解像度の高い撮影手段へ切り替えて、前記解像度の高い撮影手段で取得された前記目の画像を前記表示領域内に表示させる制御処理と、
前記解像度の高い撮影手段で取得された目の画像から虹彩データを抽出してこの抽出された虹彩データと予め登録された虹彩データとを照合して前記目の画像を認識する認識処理と、
を有することを特徴とする虹彩認証方法。
【請求項６】
個人の目に光を照射する照明手段と、
撮影の第１の解像度に基づき、前記光が照射された目を撮影して前記目の第１の画像を取得する第１の撮影手段と、
前記撮影の第１の解像度より高解像度の第２の解像度に基づき、前記光が照射された目を撮影して前記目の第２の画像を取得する第２の撮影手段と、
表示領域の指定範囲が設定された表示画面を有し、前記取得された目の第１及び第２の画像を前記表示画面に表示する表示手段と、
前記表示領域の指定範囲内に前記目の第１の画像が存在するか否かを判定する判定手段と、
前記判定結果が「在り」のときには、前記第１の撮影手段の動作を停止させると共に前記第２の撮影手段を起動し、前記目の第２の画像を前記表示領域内に表示させる制御手段と、
前記目の第２の画像から虹彩データを抽出し、前記抽出された虹彩データと予め登録された虹彩データとを照合して前記目の画像を認識する認識手段と、
を有することを特徴とする虹彩認証装置。
【請求項７】
個人の目に光を照射する照明処理と、
制御手段により撮影の解像度が制御される撮影手段により、前記光が照射された目を撮影して前記目の画像を取得する画像取得処理と、
前記取得された目の画像を表示画面に表示する表示処理と、
前記表示画面上に設定された表示領域の指定範囲内に前記目の画像が存在するか否かを判定する判定処理と、
前記判定結果が「在り」のときには、前記制御手段により、前記撮影手段の解像度を高くすると共に、前記目が前記表示領域内に適正に位置付けられたことを示すアニメーションのデータを、前記表示領域内に表示させる制御処理と、
前記解像度の高い撮影手段により撮影され、前記表示されたアニメーションのデータに対応する前記目の画像から、虹彩データを抽出してこの抽出された虹彩データと予め登録された虹彩データとを照合して前記目の画像を認識する認識処理と、
を有することを特徴とする虹彩認証方法。
【請求項８】
個人の目に光を照射する照明手段と、
撮影の解像度が可変され、前記可変された解像度に基づき、前記光が照射された目を撮影して前記目の画像を取得する撮影手段と、
表示領域の指定範囲が設定された表示画面を有し、前記取得された目の画像を前記表示画面に表示する表示手段と、
前記表示領域の指定範囲内に前記目の画像が存在するか否かを判定する判定手段と、
前記目の画像が前記表示領域内に適正に位置付けられたことを示すアニメーションのデータを記憶する記憶手段と、
前記判定結果が「在り」のときには、前記撮影手段の解像度を高くすると共に、前記アニメーションのデータを前記表示領域内に表示させる制御手段と、
前記アニメーションのデータに対応する前記目の画像から、虹彩データを抽出してこの抽出された虹彩データと予め登録された虹彩データとを照合して前記目の画像を認識する認識手段と、
を有することを特徴とする虹彩認証装置。
【請求項９】
個人の目に光を照射して前記目を撮影手段で撮影することにより前記目の画像を取得する画像取得処理と、
制御手段により表示の解像度が制御される表示手段により、前記取得された目の画像を表示画面に表示する表示処理と、
前記表示画面上に設定された表示領域の指定範囲内に前記目の画像が存在するか否かを判定する判定処理と、
前記判定結果が「在り」のときには、前記制御手段により、前記表示手段の解像度を高くして、前記目の画像を前記表示領域内に表示させる制御処理と、
前記目の画像から虹彩データを抽出してこの抽出された虹彩データと予め登録された虹彩データとを照合して前記目の画像を認識する認識処理と、
を有することを特徴とする虹彩認証方法。
【請求項１０】
個人の目に光を照射する照明手段と、
前記光が照射された目を撮影して前記目の画像を取得する撮影手段と、
表示領域の指定範囲が設定された表示画面を有し、表示の解像度が可変され、前記可変された解像度に基づき、前記取得された目の画像を前記表示画面に表示する表示手段と、
前記表示領域の指定範囲内に前記目の画像が存在するか否かを判定する判定手段と、
前記判定結果が「在り」のときには、前記表示手段の解像度を高くして、前記判定された目の画像を前記表示領域内に表示させる制御手段と、
前記判定された目の画像から虹彩データを抽出し、前記抽出された虹彩データと予め登録された虹彩データとを照合して前記目の画像を認識する認識手段と、
を有することを特徴とする虹彩認証装置。
【請求項１１】
前記表示手段は、前記表示の解像度が低解像度モード又は高解像度モードに切り替えて設定され、前記設定された低解像度モード又は高解像度モードの解像度に基づき、前記取得された目の画像を前記表示画面に表示する機能を有し、
前記制御手段は、前記判定結果が「在り」のときには、前記表示手段の解像度を前記低解像度モードから前記高解像度モードへ切り替えて、前記判定された目を含む画像を前記表示領域内に表示させる機能を有することを特徴とする請求項１０記載の虹彩認証装置。
【請求項１２】
前記制御手段は、前記判定結果が「在り」のときには、前記目の位置と、前記表示領域内の適正位置とのずれの量に応じて、前記表示手段の解像度を高くして、前記判定された目を含む画像を前記表示領域内に表示させる機能を有することを特徴とする請求項１０記載の虹彩認証装置。
【請求項１３】
個人の目に光を照射して前記目を撮影手段で撮影することにより前記目の画像を取得する画像取得処理と、
制御手段により表示の解像度が制御される表示手段により、前記取得された目の画像を表示画面に表示する表示処理と、
前記表示画面上に設定された表示領域の指定範囲内に前記目の画像が存在するか否かを判定する判定処理と、
前記判定結果が「在り」のときには、前記制御手段により、前記表示手段の解像度を高くすると共に、前記目が前記表示領域内に適正に位置付けられたことを示すアニメーションのデータを、前記表示領域内に表示させる制御処理と、
前記アニメーションのデータに対応する前記目の画像から、虹彩データを抽出してこの抽出された虹彩データと予め登録された虹彩データとを照合して前記目の画像を認識する認識処理と、
を有することを特徴とする虹彩認証方法。
【請求項１４】
個人の目に光を照射する照明手段と、
前記光が照射された目を撮影して前記目の画像を取得する撮影手段と、
表示領域の指定範囲が設定された表示画面を有し、表示の解像度が可変され、前記可変された解像度に基づき、前記取得された目の画像を前記表示画面に表示する表示手段と、
前記表示領域の指定範囲内に前記目の画像が存在するか否かを判定する判定手段と、
前記目の画像が前記表示領域内に適正に位置付けられたことを示すアニメーションのデータを記憶する記憶手段と、
前記判定結果が「在り」のときには、前記表示手段の解像度を高くすると共に、前記アニメーションのデータを前記表示領域内に表示させる制御手段と、
前記アニメーションのデータに対応する前記目の画像から、虹彩データを抽出してこの抽出された虹彩データと予め登録された虹彩データとを照合して前記目の画像を認識する認識手段と、
を有することを特徴とする虹彩認証装置。
【発明の詳細な説明】
【技術分野】
【０００１】
本発明は、人や動物等の個体の生体的特徴である目の虹彩を利用して個体を認証する虹彩認証方法、及び虹彩認証装置であって、特に、人の認証に先立って予め目の画像（即ち、目画像）を装置の表示画面（以下「ディスプレイ」という。）の認証可能領域に位置合わせする際のディスプレイの表示制御に関するものである。
【背景技術】
【０００２】
従来、例えば、下記の文献等に記載されているように、目の虹彩部分の画像を用いた虹彩認証装置が知られている。
【０００３】
【特許文献１】特許第３３０７９３６号公報
【０００４】
この特許文献１等に記載されているように、従来の虹彩認証装置は、使用者の生体における目画像をカメラで取得し、取得した目画像の中から虹彩部分を切り出して虹彩データを抽出し、予め登録された使用者の虹彩データと照合して一致した場合に、該使用者を本人であると認証する。
【０００５】
虹彩認証装置の機能をパーソナルコンピュータ（以下「ＰＣ」という。）に搭載し、当該ＰＣの外部に取り付けられたカメラと光源により、使用者の目に光を照射して、該目を撮影して虹彩認証を行うようにしたＰＣ型虹彩認証装置も知られている。
【０００６】
図８は、従来の外部カメラ及び照明用光源を設けたＰＣ型虹彩認証装置を示す概略の構成図である。
【０００７】
ＰＣ型虹彩認証装置１０は、カメラ１１ａを有する撮影部１１、照明用光源１２ａを有する照明部１２、入力部１３、表示制御部１４、撮影部１１の画像を確認するためのディスプレイ１５ａを有する表示部１５、撮影された目画像に基づき虹彩データを抽出して認証を行う虹彩認識部１６、及び虹彩認識辞書１７等により構成されている。入力部１３は、ディスプレイ１５ａに表示された目画像を確認して、認証可能と判断した場合に押下する図示しない認証開始キー等を含むキーボード等により構成されている。表示制御部１４は、表示部１５における画面の表示を制御する機能を有している。
【０００８】
図９（ａ）、（ｂ）は、図８のＰＣ型虹彩認証装置におけるディスプレイ部分のカメラと照明用光源の配置、及び目の撮影時の画面表示を示す模式図である。
【０００９】
ＰＣ本体に接続されたディスプレイ１５ａの上部には、レンズ、シャッタ等からなるカメラ１１ａが搭載され、更に、このカメラ１１ａの近傍に、照明用光源１２ａが取り付けられている。カメラ１１ａは、ディスプレイ１５ａに対面して座する使用者の顔及び目１８を撮影できるように取り付けられている。照明用光源１２ａは、使用者の目１８の画像を取得する際、光を発光させて目１８に照射するものであり、この発光に同期してカメラ１１ａのシャッタを動作させ目１８を撮影する。使用者は、ディスプレイ１５ａの表示を介して、ＰＣ本体内に搭載されたソフトウェア等から提供される虹彩認証機能を使用する。
【００１０】
このように構成される虹彩認証装置１０の動作を説明する。
目１８の撮影に際しては、使用者が撮影部１１、照明部１２、及び表示部１５に対面して着席し、撮影部１１のカメラ１１ａに自身の顔及び目１８を向ける。このとき、ディスプレイ１５ａ上には認証可能な表示領域ＡＲ１が設定されている。撮影部１１のカメラ１１ａにより撮影された画像は表示領域ＡＲ１に表示され、使用者自身が、撮影部１１のカメラ１１ａにより撮影されている画像を逐次確認することができるようになっている。使用者が顔面及び目１８を撮影部１１のカメラ１１ａに向ける動作に連動して、図９（ａ）のように目１８の画像が表示領域ＡＲ１内に、例えば矢印で示されるＸ方向に徐々に進入しつつ表示され、使用者の位置合わせの動作に追従して、図９（ｂ）のように目１８の全体の画像が、図９（ａ）をほぼ同等の大きさを維持したまま表示領域ＡＲ１の範囲内に入り込む。
【００１１】
表示領域ＡＲ１に目１８の全体が表示されると、使用者は目１８の位置付けが完了したものと判定して、入力部１３の図示しない認証開始キーを押下する。なお、処理の開始に当たっては、画像処理により自動的に、認識処理を開始するようにしてもよい。
【００１２】
これにより、表示制御部１４は、目画像のデータを虹彩認識部１６へ送る。虹彩認識部１６は、目画像から虹彩データを算出し、この算出した虹彩データと、虹彩認識辞書１７に格納されている虹彩データとの比較を行い、虹彩データの一致する率がある閾値以上の場合、使用者を本人と認識する。
【発明の開示】
【発明が解決しようとする課題】
【００１３】
しかしながら、従来の虹彩認証装置１０では、次の（i）〜（iii）のような課題があった。
【００１４】
（i）  一般に、虹彩認証の処理においては、虹彩や瞳孔の詳細な画像を必要とするために、高解像度のカメラ１１ａを用いており、認証精度の維持の面でも高解像度の目画像を必要とする。従来の虹彩認証装置１０においては、使用者が表示領域ＡＲ１内への目１８の位置付けの動作の開始初期の段階から、認証で要求される高解像度の画像を表示領域ＡＲ１内に表示しているので、使用者が、目１８の位置合わせに不慣れである等して、顔面中の目１８以外の領域（頬、額等）が表示された場合に、当該位置がクローズアップされて表示された状態となり、使用者が目１８の位置を把握できずに位置合わせは困難となる場合があった。
【００１５】
（ii）  前記（i）のように、表示領域ＡＲ１内に処理の最初から高解像度で表示することにより、画像の描画速度が遅くなるため、使用者が表示領域ＡＲ１内で目１８の位置を把握していたとしても、その位置の修正に時間を要し、使用者の顔面の移動とずれを生じ、スムースな位置合わせが困難になっていた。即ち、使用者が目１８を適切な方向に動かしても、表示の追従性が悪く、適切な位置を行き過ぎてしまって正しい位置に位置付けできない現象が頻発していた。
【００１６】
（iii）  高解像度の目画像をそのまま表示するようにしているので、例えば、悪意の者が別のカメラで目画像を盗撮して悪用されるといったセキュリティ上の問題があった。又、目１８の細部が生々しく大写しにされることで嫌悪感を抱く使用者もおり、使い勝手の悪い面があった。
【課題を解決するための手段】
【００１７】
請求項１に係る発明の虹彩認証方法は、個人の目に光を照射する照明処理と、制御手段により撮影の解像度が制御される撮影手段により、前記光が照射された目を撮影して前記目の画像を取得する画像取得処理と、前記取得された目の画像をディスプレイに表示する表示処理と、前記ディスプレイ上に設定された表示領域の指定範囲内に前記目の画像が存在するか否かを判定する判定処理と、前記判定結果が「在り」のときには、前記制御手段により、前記撮影手段の解像度を高くして、前記高い解像度の撮影手段で取得された前記目の画像を前記表示領域内に表示させる制御処理と、前記高い解像度の撮影手段で取得された前記目の画像から虹彩データを抽出してこの抽出された虹彩データと予め登録された虹彩データとを照合して前記目の画像を認識する認識処理とを有することを特徴とする。
【００１８】
請求項２〜４に係る発明の虹彩認証装置は、個人の目に光を照射する照明手段と、撮影の解像度が可変され、前記可変された解像度に基づき、前記光が照射された目を撮影して前記目の画像を取得する撮影手段と、表示領域の指定範囲が設定されたディスプレイを有し、前記取得された目の画像を前記ディスプレイに表示する表示手段と、前記表示領域の指定範囲内に前記目の画像が存在するか否かを判定する判定手段と、前記判定結果が「在り」のときには、前記撮影手段の解像度を高くして、前記高い解像度の撮影手段で取得された前記目の画像を前記表示領域内に表示させる制御手段と、前記高い解像度の撮影手段で取得された前記目の画像から虹彩データを抽出し、前記抽出された虹彩データと予め登録された虹彩データとを照合して前記目の画像を認識する認識手段とを有することを特徴とする。
【００１９】
請求項５に係る発明の虹彩認証方法は、個人の目に光を照射する照明処理と、撮影の解像度が異なる複数の撮影手段により、前記光が照射された目をそれぞれ撮影して前記目の画像をそれぞれ取得する画像取得処理と、前記取得された目の画像をディスプレイに表示する表示処理と、前記解像度の低い撮影手段により撮影された前記目の画像が、前記ディスプレイ上に設定された表示領域の指定範囲内に存在するか否かを判定する判定処理と、前記判定結果が「在り」のときには、制御手段により、前記解像度の低い撮影手段から前記解像度の高い撮影手段へ切り替えて、前記解像度の高い撮影手段で取得された前記目の画像を前記表示領域内に表示させる制御処理と、前記解像度の高い撮影手段で取得された目の画像から虹彩データを抽出してこの抽出された虹彩データと予め登録された虹彩データとを照合して前記目の画像を認識する認識処理とを有することを特徴とする。
【００２０】
請求項６に係る発明の虹彩認証装置は、個人の目に光を照射する照明手段と、撮影の第１の解像度に基づき、前記光が照射された目を撮影して前記目の第１の画像を取得する第１の撮影手段と、前記撮影の第１の解像度より高解像度の第２の解像度に基づき、前記光が照射された目を撮影して前記目の第２の画像を取得する第２の撮影手段と、表示領域の指定範囲が設定されたディスプレイを有し、前記取得された目の第１及び第２の画像を前記ディスプレイに表示する表示手段と、前記表示領域の指定範囲内に前記目の第１の画像が存在するか否かを判定する判定手段と、前記判定結果が「在り」のときには、前記第１の撮影手段の動作を停止させると共に前記第２の撮影手段を起動し、前記目の第２の画像を前記表示領域内に表示させる制御手段と、前記目の第２の画像から虹彩データを抽出し、前記抽出された虹彩データと予め登録された虹彩データとを照合して前記目の画像を認識する認識手段とを有することを特徴とする。
【００２１】
請求項７に係る発明の虹彩認証方法は、個人の目に光を照射する照明処理と、制御手段により撮影の解像度が制御される撮影手段により、前記光が照射された目を撮影して前記目の画像を取得する画像取得処理と、前記取得された目の画像をディスプレイに表示する表示処理と、前記ディスプレイ上に設定された表示領域の指定範囲内に前記目の画像が存在するか否かを判定する判定処理と、前記判定結果が「在り」のときには、前記制御手段により、前記撮影手段の解像度を高くすると共に、前記目が前記表示領域内に適正に位置付けられたことを示すアニメーションのデータを、前記表示領域内に表示させる制御処理と、前記解像度の高い撮影手段により撮影され、前記表示されたアニメーションのデータに対応する前記目の画像から、虹彩データを抽出してこの抽出された虹彩データと予め登録された虹彩データとを照合して前記目の画像を認識する認識処理とを有することを特徴とする。
【００２２】
請求項８に係る発明の虹彩認証装置は、個人の目に光を照射する照明手段と、撮影の解像度が可変され、前記可変された解像度に基づき、前記光が照射された目を撮影して前記目の画像を取得する撮影手段と、表示領域の指定範囲が設定されたディスプレイを有し、前記取得された目の画像を前記ディスプレイに表示する表示手段と、前記表示領域の指定範囲内に前記目の画像が存在するか否かを判定する判定手段と、前記目の画像が前記表示領域内に適正に位置付けられたことを示すアニメーションのデータを記憶する記憶手段と、前記判定結果が「在り」のときには、前記撮影手段の解像度を高くすると共に、前記アニメーションのデータを前記表示領域内に表示させる制御手段と、前記アニメーションのデータに対応する前記目の画像から、虹彩データを抽出してこの抽出された虹彩データと予め登録された虹彩データとを照合して前記目の画像を認識する認識手段とを有することを特徴とする。
【００２３】
請求項９に係る発明の虹彩認証方法は、個人の目に光を照射して前記目を撮影手段で撮影することにより前記目の画像を取得する画像取得処理と、制御手段により表示の解像度が制御される表示手段により、前記取得された目の画像をディスプレイに表示する表示処理と、前記ディスプレイ上に設定された表示領域の指定範囲内に前記目の画像が存在するか否かを判定する判定処理と、前記判定結果が「在り」のときには、前記制御手段により、前記表示手段の解像度を高くして、前記目の画像を前記表示領域内に表示させる制御処理と、前記目の画像から虹彩データを抽出してこの抽出された虹彩データと予め登録された虹彩データとを照合して前記目の画像を認識する認識処理とを有することを特徴とする。
【００２４】
請求項１０〜１２に係る発明の虹彩認証装置は、個人の目に光を照射する照明手段と、前記光が照射された目を撮影して前記目の画像を取得する撮影手段と、表示領域の指定範囲が設定されたディスプレイを有し、表示の解像度が可変され、前記可変された解像度に基づき、前記取得された目の画像を前記ディスプレイに表示する表示手段と、前記表示領域の指定範囲内に前記目の画像が存在するか否かを判定する判定手段と、前記判定結果が「在り」のときには、前記表示手段の解像度を高くして、前記判定された目の画像を前記表示領域内に表示させる制御手段と、前記判定された目の画像から虹彩データを抽出し、前記抽出された虹彩データと予め登録された虹彩データとを照合して前記目の画像を認識する認識手段とを有することを特徴とする。
【００２５】
請求項１３に係る発明の虹彩認証方法は、個人の目に光を照射して前記目を撮影手段で撮影することにより前記目の画像を取得する画像取得処理と、制御手段により表示の解像度が制御される表示手段により、前記取得された目の画像をディスプレイに表示する表示処理と、前記ディスプレイ上に設定された表示領域の指定範囲内に前記目の画像が存在するか否かを判定する判定処理と、前記判定結果が「在り」のときには、前記制御手段により、前記表示手段の解像度を高くすると共に、前記目が前記表示領域内に適正に位置付けられたことを示すアニメーションのデータを、前記表示領域内に表示させる制御処理と、前記アニメーションのデータに対応する前記目の画像から、虹彩データを抽出してこの抽出された虹彩データと予め登録された虹彩データとを照合して前記目の画像を認識する認識処理とを有することを特徴とする。
【００２６】
請求項１４に係る発明の虹彩認証装置は、個人の目に光を照射する照明手段と、前記光が照射された目を撮影して前記目の画像を取得する撮影手段と、表示領域の指定範囲が設定されたディスプレイを有し、表示の解像度が可変され、前記可変された解像度に基づき、前記取得された目の画像を前記ディスプレイに表示する表示手段と、前記表示領域の指定範囲内に前記目の画像が存在するか否かを判定する判定手段と、前記目の画像が前記表示領域内に適正に位置付けられたことを示すアニメーションのデータを記憶する記憶手段と、前記判定結果が「在り」のときには、前記表示手段の解像度を高くすると共に、前記アニメーションのデータを前記表示領域内に表示させる制御手段と、前記アニメーションのデータに対応する前記目の画像から、虹彩データを抽出してこの抽出された虹彩データと予め登録された虹彩データとを照合して前記目の画像を認識する認識手段とを有することを特徴とする。
【発明の効果】
【００２７】
請求項１〜３に係る発明によれば、ディスプレイの表示領域内に、認証処理の初期では例えば低解像度の画像を表示し、目の表示の段階でのみ例えば高解像度の画像を表示するようにしているので、画像の全体としての描画速度が早くなり、これにより、使用者が目を動かしたときの表示の追従性が向上し、スムースに正しい位置に位置付けすることができる。
【００２８】
請求項４に係る発明によれば、撮影手段の解像度の設定を、判定手段での判定結果に応じて段階的に引き上げて設定し、表示領域内に画像を描画し表示するようにしたので、ディスプレイ上の目標とする位置付けの領域に対して移動量が多い場合に、その移動の幅に合わせて解像度を設定できる。これにより、ディスプレイの描画がより使用者の動作に滑らかに追従するようになり、且つ、画像表示がより明瞭となる。
【００２９】
請求項５、６に係る発明によれば、ディスプレイの表示領域内に処理の初期では例えば低解像度の撮影手段を用いて、使用者に対し、目をその指定領域内に誘導し、目の表示の段階で例えば高解像度の撮影手段の画像を表示するようにしている。これにより、解像度を調整する機構を有しない簡易な撮影手段を導入して、請求項１と同様の効果を得ることが可能となり、装置全体のコストダウンが可能となる。
【００３０】
請求項７、８に係る発明によれば、例えば、高解像度の目画像をそのまま表示した場合に生じる生体情報が盗まれるといったセキュリティ上の問題が解消し、しかも、使用者の目の画像がそのまま表示されることによる使用者が感じる嫌悪感を軽減することができる。
【００３１】
請求項９〜１４に係る発明によれば、使用者にとっては請求項１〜３、５、６、７、８に係る発明とほぼ同様の効果を得ることができる。一方で、システム的には撮影時の解像度が一定なので、請求項１〜３、５、６、７、８に係る発明に比べ適応的に制御できない分、撮影速度は若干遅くなるが、一定の解像度の通常、安価な撮影手段で構成でき、更に、複雑な制御がない分コストを安くすることができる。
【発明を実施するための最良の形態】
【００３２】
本発明を実施するための最良の形態は、以下の好ましい実施例の説明を添付図面と照らし合わせて読むと、明らかになるであろう。但し、図面はもっぱら解説のためのものであって、本発明の範囲を限定するものではない。
【実施例１】
【００３３】
（実施例１の構成）
図１は、本発明の実施例１に係る虹彩認証装置を示す概略の構成図である。
この虹彩認証装置２０は、例えば、ＰＣ、ＰＣ以外のプロセッサ、あるいは専用装置等で構成され、画像取得処理を行う撮影手段（例えば、撮影部）２１を有している。撮影部２１は、レンズ、シャッタ等からなるカメラ２１ａを有し、撮影の解像度が可変構成（例えば、高低２段階の解像度のモードが設定可能な構成）になっており、設定された低解像度モード又は高解像度モードの解像度に基づき、目を撮影してこの目画像を取得する機能を有している。撮影部２１には、照明処理を行う照明手段（例えば、照明部）２２、入力部２３、及び制御処理を行う制御手段（例えば、表示制御部）２４が接続され、この表示制御部２４に、表示処理を行う表示手段（例えば、表示部）２５が接続されている。
【００３４】
照明部２２は、ランプ等からなる照明用光源２２ａを有し、使用者の目画像を取得する際に、光を発光して目を照射するものであり、この発光に同期してカメラ２１ａのシャッタを動作させて目を撮影するようになっている。入力部２３は、認証可能と判断した場合に押下する図示しない認証開始キー等を含むキーボード等により構成されている。表示制御部２４は、表示部２５の画面表示を制御する機能を有している。表示部２５は、撮影部２１で取得された目画像を確認するために、認証可能な表示領域ＡＲ１の指定範囲ＡＲ２が設定されたディスプレイ２５ａを有し、撮影部２１で取得された目画像をディスプレイ２５ａに表示する機能を有している。
【００３５】
撮影部２１には、認識処理を行う認識手段（例えば、虹彩認識部）２６が接続され、この虹彩認識部２６に、虹彩データが予め登録された虹彩認識辞書２７が接続されている。虹彩認識部２６は、撮影部２１において高解像度モードの解像度で取得された目画像から虹彩データを抽出し、この抽出された虹彩データと虹彩認識辞書２７に登録された虹彩データとを照合して目画像を認識する機能を有している。
【００３６】
更に、撮影部２１には、判定処理を行う判定手段（例えば、目画像判定部）２８が接続され、この目画像判定部２８に表示制御部２４が接続されている。目画像判定部２８は、ディスプレイ２５ａにおける表示領域ＡＲ１の指定範囲ＡＲ２内に目画像が存在するか否かを判定する機能を有している。この機能に基づき、表示制御部２４では、表示部２５の画面表示を制御し、前記判定結果が「在り」のときには、撮影部２１の解像度を高くして（例えば、低解像度モードから高解像度モードへ切り替えて）、この高い解像度の撮影部２１で取得された目画像を表示領域ＡＲ１内に表示させる働きがある。
【００３７】
このような虹彩認証機能に必要な各構成は、ＰＣ本体等の内部に組み込むソフトウェア、あるいは個別回路で構成されている。
【００３８】
図２（ａ）、（ｂ）は、図１の虹彩認証装置におけるディスプレイ部分のカメラと照明用光源の配置、及び目の撮影時の画面表示を示す模式図であり、同図（ａ）は目の位置合わせの初期の表示（顔又は目周辺）を示す図、及び、同図（ｂ）は目の位置合わせ完了時の目画像の表示を示す図である。
【００３９】
ディスプレイ２５ａの上部には、カメラ２１ａが搭載され、更に、このカメラ２１ａの近傍に、照明用光源２２ａが取り付けられている。カメラ２１ａは、ディスプレイ２５ａに対面して座する使用者の顔１９及び目１８を撮影できる位置に取り付けられている。使用者は、ディスプレイ２５ａの表示を介して、例えば、ＰＣ本体内に搭載されたソフトウェア等から提供される虹彩認証機能を使用する。
【００４０】
（実施例１の虹彩認証方法）
本実施例１においては、使用者がカメラ２１ａに向かって、目１８の撮影を行う際に、初期の段階では低解像度の顔１９の全体あるいはその一部が表示され、目１８を大写しにするときに、該目１８の高解像度画像が表示される。以下、その虹彩認証方法を説明する。
【００４１】
目１８の撮影に際しては、使用者がディスプレイ２５ａに対面して着席し、撮影部２１のカメラ２１ａに自身の顔面を向ける。すると、表示制御部２４の制御により、カメラ２１ａが低解像度モードに設定され起動される。カメラ２１ａにより撮影が開始され、図２（ａ）のディスプレイ２５ａに示されるように、カメラ２１ａの低解像度の画像が認証可能な表示領域ＡＲ１に表示される。このときの表示は低解像度であるために、顔１９の全面あるいは一部が表示領域ＡＲ１内に表示される。
【００４２】
カメラ２１ａによる撮影を行っている間、目画像判定部２８は、表示される使用者の画像における指定領域ＡＲ２内に、目１８に相当する部位が写っているか否かを判定する。指定領域ＡＲ２とは、カメラ２１ａを高解像モードで撮影した場合に、表示領域ＡＲ１に表示される部分である。判定方法については、一般的な顔認証技術等で利用される方法を採用できる。例えば、顔１９の各部位のレイアウトを画像識別し、目１８の領域（エリア）を特定する等の判定方法がある。
【００４３】
目画像判定部２８により、指定領域ＡＲ２内に目１８が存在すると判定された場合、表示制御部２４は、カメラ２１ａを高解像度モードに切り替える。これにより、図２（ｂ）のディスプレイ２５ａに示されるように、表示領域ＡＲ１に高解像度の目１８の画像が大写しにされる。使用者は目１８の画像が高解像度であり、その細部が精細に表示されることで位置付けが完了したと判断して、入力部２３の図示しないキーボードの認証開始キーを押下する。この押下を受けて表示制御部２４は、撮影部２１で撮影している高解像度の目画像のデータを虹彩認識部２６へ送る。虹彩認識部２６では、当該目画像から虹彩データを算出し、この算出した虹彩データと、虹彩認識辞書２７に格納されている虹彩データとの比較を行い、虹彩データの一致する率がある閾値以上の場合、使用者を本人と認識する。
【００４４】
（実施例１の効果）  
本実施例１によれば、ディスプレイ２５ａの表示領域ＡＲ１内に、認証処理の初期では低解像度の画像を表示し、目１８の表示の段階でのみ高解像度の画像を表示するようにしているので、画像の全体としての描画速度が早くなる。これにより、使用者が目１８を動かしたときの表示の追従性が向上し、スムースに正しい位置に位置付けすることができるようになる。
【実施例２】
【００４５】
（実施例２の構成）
図３（ａ）、（ｂ）は、本発明の実施例２に係る虹彩認証装置の目画像判定部における目の存在確率の出力に合わせ、段階的に増加する解像度設定を示す図である。
【００４６】
本実施例２の虹彩認証装置２０は、図１において、表示制御部２４の機能が実施例１とは異なっている。本実施例２の表示制御部２４では、表示領域ＡＲ１の指定領域ＡＲ２内に目画像が存在するか否かを判定するための目画像判定部２８での判定結果が「在り」のときには、目１８の位置と、表示領域ＡＲ１内の適正な位置とのずれの量に応じて、撮影部２１の解像度を高くして、この高い解像度の撮影部２１で取得された目画像を表示領域ＡＲ１内に表示させる機能を有している。
【００４７】
即ち、本実施例２の虹彩認証装置２０においては、カメラ２１ａの解像度の設定を、表示制御部２４の制御により、目画像判定部２８での判定結果に応じて段階的に引き上げて設定し、表示領域ＡＲ１内に画像を描画し表示する構成になっている。その他の構成は、実施例１と同様である。
【００４８】
（実施例２の虹彩認証方法）
使用者がディスプレイ２５ａに対面して、カメラ２１ａにより撮影が開始される。カメラ２１ａの解像度は、所定の解像度に初期設定されている（例えば、初期設定値は比較的低解像度に設定）。初期設定の解像度での画像が、ディスプレイ２５ａの表示領域ＡＲ１に表示される。このときの表示は、顔１９の全面あるいは一部が表示領域ＡＲ１内に表示される。目画像判定部２８は、表示される使用者の画像における指定領域ＡＲ２内に、目１８に相当する部位が写っているか否かを判定する。
【００４９】
目画像判定部２８での判定結果を、指定領域ＡＲ２内の目１８の存在確率として段階的に出力する。例えば、表示領域ＡＲ１内の顔１９の一部分が表示されて、顔画像を解析した結果、目１８が存在すると判定された場合であっても、その目１８の表示領域ＡＲ１内での位置が適正な位置にない場合は、目１８の位置の表示位置と位置合わせの目標となる適正な位置との乖離した距離を判定に加味して、目１８が存在し、且つ適正な位置にある可能性を３０％、４０％、８０％等と判定する。この判定値を目１８の存在確率として、その程度に合わせて、図３（ａ）に示すように、表示制御部２４により、カメラ２１ａの解像度を段階的に引き上げる制御をする。この引き上げの割合は必ずしも図３（ａ）のようにリニアである必要はなく、図３（ｂ）に示すように、表示制御部２４により、目１８の存在確率が高い領域では引き上げの幅を小さく設定するように制御してもよい。
【００５０】
このように制御することで、表示領域ＡＲ１内に目１８が存在すると判定されても、適正な位置とずれがある場合は、そのずれの量に合わせて、より低解像度の設定に変更される。すれ量が小さくなるに従って、適正位置に近づくため、徐々に解像度が高くなる。
【００５１】
最終的に、目画像判定部２８により、指定領域ＡＲ２内に目１８が適正な位置で存在すると判定された場合、表示制御部２４は、カメラ２１ａの解像度を認証に要求されるレベルの解像度にまで引き上げ、これにより表示領域ＡＲ１に高解像度の目１８の画像が大写しにされる。使用者は目１８の画像が高解像度であり、その細部が精細に表示されることで位置付けが完了したと判断して、入力部２３の図示しないキーボードの認証開始キーを押下する。該押下を受けて表示制御部２４は、撮影部２１で撮影している高解像度の目画像のデータを虹彩認識部２６へ送る。虹彩認識部２６では、当該目画像から虹彩データを算出し、この虹彩データと、虹彩認識辞書２７に格納されている虹彩データとの比較を行い、虹彩データの一致する率がある閾値以上の場合、使用者を本人と認識する。
【００５２】
（実施例２の効果）  
本実施例２によれば、カメラ２１ａの解像度の設定を、目画像判定部２８での判定結果に応じて段階的に引き上げて設定し、表示領域ＡＲ１内に画像を描画し表示するようにしたので、更に、ディスプレイ２５ａ上の目標とする位置付けの領域に対して移動量が多い場合に、その移動の幅に合わせて解像度を設定できる。これにより、ディスプレイ２５ａの描画がより使用者の動作に滑らかに追従するようになり、且つ、画像表示がより明瞭となる。
【実施例３】
【００５３】
（実施例３の構成）
図４（ａ）、（ｂ）は、本発明の実施例３の虹彩認証装置におけるディスプレイ部分のカメラと照明用光源の配置、及び目の撮影時の画面表示を示す模式図であり、同図（ａ）は目の位置合わせの初期の表示（顔又は目周辺）を示す図、及び、同図（ｂ）は目の位置合わせ完了時の目画像の表示を示す図である。この図４は、実施例１を示す図２に対応する図であり、図２中の要素と共通の要素には共通の符号が付されている。
【００５４】
本実施例３の虹彩認証装置における基本構成は、実施例１を示す図１及び図２の虹彩認証装置２０と同様であるが、以下のような点で異なっている。
【００５５】
本実施例３では、実施例１における１台のカメラ２１ａに代えて、複数台のカメラ（例えば、低解像度の第１のカメラ２１ａ−１と高解像度の第２のカメラ２１ａ−２からなる２台のカメラ）が、撮影部２１に設けられている。第１及び第２のカメラ２１ａ−１，２１ａ−２は、近接してディスプレイ２５ａの上部に配置され、このディスプレイ２５ａに対面して座する使用者の顔１９及び目１８を撮影できる位置に取り付けられている。更に、ディスプレイ２５ａの上部において、第１及び第２のカメラ２１ａ−１，２１ａ−２の近傍には、照明用光源２２ａが取り付けられている。
【００５６】
ここで、第１のカメラ２１ａ−１及び撮影部２１により第１の撮影手段が構成され、第２のカメラ２１ａ−２及び撮影部２１により第２の撮影手段が構成されている。第１の撮影手段は、低解像度の第１の解像度に基づき、光が照射された目１８を撮影してこの目１８の第１の画像を取得する機能を有し、第２の撮影手段は、第１の解像度より高解像度の第２の解像度に基づき、光が照射された目１８を撮影してこの目１８の第２の画像を取得する機能を有している。
【００５７】
判定手段である目画像判定部２８は、実施例１と同様に、ディスプレイ２５ａにおける認証可能な表示領域ＡＲ１の指定範囲ＡＲ２内に目１８の第１の画像が存在するか否かを判定する機能を有しているが、制御手段である表示制御部２４は、実施例１とは異なり、前記判定結果が「在り」のときには、第１のカメラ２１ａ−１の撮影動作を停止させると共に第２のカメラ２１ａ−２を起動し、目１８の第２の画像を表示領域ＡＲ１内に表示させる機能を有している。更に、認識手段である虹彩認識部２６は、実施例１と同様に、目１８の第２の画像から虹彩データを抽出し、この抽出された虹彩データと虹彩認識辞書２７に予め登録された虹彩データとを照合して目１８の画像を認識する機能を有している。その他の構成は、実施例１と同様である。
【００５８】
このように、本実施例３においては、実施例１における１台のカメラ２１ａに代えて、２台の第１及び第２のカメラ２１ａ−１，２１ａ−２を使用し、第１のカメラ２１ａ−１を低解像度のカメラとし、第２のカメラ２１ａ−２を高解像度のカメラとして、各々撮影部２１に取り付け、使用者の操作の初期には低解像度の第１のカメラ２１ａ−１で撮影した第１の画像を表示して誘導し、この第１の画像の中の指定領域ＡＲ２に目１８が存在すると判定されると、低解像度の第１のカメラ２１ａ−１を停止し、高解像度の第２のカメラ２１ａ−２での撮影に切り替えて目１８の第２の画像を撮影し、ディスプレイ２５ａに表示するようにしたものである。
【００５９】
（実施例３の虹彩認証方法）
目１８の撮影に際しては、使用者がディスプレイ２５ａに対面して着席し、撮影部２１に自身の顔面を向ける。カメラ２１ａ−１と２１ａ−２は互いにほぼ隣接した位置に取り付けられているので、同時に使用者の顔１９及び目１８のほぼ同じ位置を撮影することができる。
【００６０】
先ず、表示制御部２４により、撮影部２１における低解像度のカメラ２１ａ−１が起動され、当該カメラ２１ａ−１により撮影が開始される。図４（ａ）に示すように、カメラ２１ａ−１の低解像度の画像がディスプレイ２５ａの表示領域ＡＲ１に表示される。このときの表示は低解像度であるために、顔１９の前面あるいは一部が表示領域ＡＲ１内に表示される。そして、実施例１と同様に、目画像判定部２８により、指定領域ＡＲ２内に目１８が含まれるか否かを判定する。
【００６１】
指定領域ＡＲ２内に目１８が存在すると判定された場合、表示制御部２４は、低解像度のカメラ２１ａ−１の撮影を停止し、高解像度のカメラ２１ａ−２を起動する。これによりカメラ２１ａ−２で撮影が開始され、図４（ｂ）に示すように、表示領域ＡＲ１に高解像度の目１８が大写しにされる。使用者は目１８の画像が高解像度であり、その細部が精細に表示されることで位置付けが完了したと判断して入力部２３の図示しないキーボードの認証開始キーを押下する。これにより、表示制御部２４は、撮影部２１で撮影されている高解像度の目画像を虹彩認識部２６へ送り、以降は、実施例１と同様に認証の処理を行う。
【００６２】
（実施例３の効果）
本実施例３によれば、ディスプレイ２５ａの表示領域ＡＲ１内に処理の初期では低解像度のカメラ２１ａ−１を用いて、使用者に対し、目１８をその指定領域ＡＲ１内に誘導し、目１８の表示の段階で高解像度のカメラ２１ａ−２の画像を表示するようにしている。これにより、解像度を調整する機構を有しない簡易なカメラ２１ａ−１，２１ａ−２を導入して、実施例１と同様の効果を得ることが可能となり、カメラ２１ａ−１，２１ａ−２を含む虹彩認証装置２０のコストダウンが可能となる。
【実施例４】
【００６３】
（実施例４の構成）
図５は、本発明の実施例４に係る虹彩認証装置を示す概略の構成図であり、実施例１を示す図１中の要素と共通の要素には共通の符号が付されている。
【００６４】
図６（ａ）、（ｂ）は、図５の虹彩認証装置におけるディスプレイ部分のカメラと照明用光源の配置、及び目の撮影時のアニメーションの表示を示す模式図であり、同図（ａ）は目の位置合わせの初期の表示（顔又は目周辺）を示す図、及び、同図（ｂ）は目の位置合わせ完了時のアニメーションの表示を示す図である。この図６は、実施例１の図２に対応している。
【００６５】
本実施例４の虹彩認証装置２０Ａにおける基本構成は、実施例１を示す図１及び図２の虹彩認証装置２０と同様であるが、以下のような点で異なっている。
【００６６】
本実施例４の虹彩認証装置２０Ａでは、実施例１の目画像判定部２８及び表示部２５に対して、新たに追加されたアニメーションのデータを記憶する記憶手段（例えば、アニメデータ記憶部）２９が接続されている。アニメデータ記憶部２９は、目１８の画像がディスプレイ２５ａの表示領域ＡＲ１内に適正に位置付けられたことを示すアニメーションのデータを記憶するものである。制御手段である表示制御部２４は、実施例１とは異なり、表示領域ＡＲ１の指定領域ＡＲ２内に目１８の画像が存在するか否かを判定する目画像判定部２８の判定結果が「在り」のときには、撮影部２１の解像度を高くすると共に、アニメーションのデータを表示領域ＡＲ１内に表示させる機能を有している。更に、認識手段である虹彩認識部２６は、実施例１とほぼ同様に、アニメーションのデータに対応する目１８の画像から、虹彩データを抽出してこの抽出された虹彩データと虹彩認識辞書２７に予め登録された虹彩データとを照合して目１８の画像を認識する機能を有している。
【００６７】
このように、本実施例４では、実施例１で、高解像度の目画像表示を行う処理において、実際の使用者の目１８の画像を表示せずに、これに代えてアニメーション表示を行う構成になっている。その他の構成は、実施例１と同様である。
【００６８】
（実施例４の虹彩認証方法）
目１８の撮影に際しては、使用者がディスプレイ２５ａに対面して着席し、撮影部２１のカメラ２１ａに自身の顔面を向ける。先ず、表示制御部２４により、カメラ２１ａが低解像度モードに設定され起動される。カメラ２１ａにより撮影が開始され、図６（ａ）に示すように、カメラ２１ａの低解像度の画像が表示領域ＡＲ１に表示される。このときの表示は低解像度であるために、顔１９の全面あるいは一部が表示領域ＡＲ１内に表示される。そして、目画像判定部２８は、実施例１と同様に、指定領域ＡＲ２の画像内に目１８が存在するか否かを判定する。
【００６９】
指定領域ＡＲ２内に目１８が存在すると判定された場合、表示制御部２４は、カメラ２１ａを高解像度モードに切り替える。これにより、カメラ２１ａにより高解像度の目１８の画像が撮影される。
【００７０】
本実施例４においては、前記の高解像度の目１８の画像を撮影するものの、表示部２５のディスプレイ２５ａ上には、当該画像は表示しない。これに代えて、図６（ｂ）に示すように、表示制御部２４はアニメデータ記憶部２９から、アニメーションのデータを読み出し、これをディスプレイ２５ａの表示領域ＡＲ１内に表示する。実際に撮影された目１８がある位置に、アニメーションが表示されるようにすればよい。
【００７１】
アニメーションで表現する内容は、大きな目１８を大写ししたような絵にするのが好ましいが、使用者が目１８の位置付けができたと推察できる程度に、抽象的なイラスト（例えば、記号のようなもの）であってもよい。
【００７２】
使用者は、ディスプレイ２５ａにアニメーションが表示されることで位置付けが完了したと判断して、入力部２３の図示しないキーボードの認証開始キーを押下する。この押下を受けて、表示制御部２４は目画像のデータを虹彩認識部２６へ送る。虹彩認識部２６では、高解像度の目画像から虹彩データを算出し、この算出した虹彩データと、虹彩認識辞書２７に格納されている虹彩データとの比較を行い、虹彩データの一致する率がある閾値以上の場合、使用者を本人と認識する。
【００７３】
（実施例４の変形例）
本実施例４は、次の（１）  〜（３）のように変形してもよい。
【００７４】
（１）  実施例３と実施例４を組み合わせて、複数台（例えば、２台）のカメラ２１ａ−１，２１ａ−２での撮影を行い、高解像度のカメラ２１ａ−２の撮影のときに、ディスプレイ２５ａ上にアニメーションを表示するようにしてもよい。
【００７５】
（２）  実施例２と実施例４を組み合わせて、目１８が一定の解像度あるいは存在確率を超えた場合に、ほぼ、目１８の位置付けが正常に行われているものとしてアニメーション表示に切り替えるといった構成にしてもよい。
【００７６】
（３）  アニメーションの表示と同時に、音声や画像、文字等により各種の補足的なメッセージを使用者に向けて発信するようにしてもよい。
【００７７】
（実施例４の効果）
本実施例４によれば、高解像度の目画像をそのまま表示した場合に生じる生体情報が盗まれるといったセキュリティ上の問題が解消し、しかも、使用者の目１８の画像がそのまま表示されることによる使用者が感じる嫌悪感を軽減することができる。
【実施例５】
【００７８】
（実施例５の構成）
図７（ａ）、（ｂ）は、本発明の実施例５に係る虹彩認証装置を示す概略の構成図であり、同図（ａ）は実施例１、２に対応する虹彩認証装置の概略の構成図、及び、同図（ｂ）は実施例４に対応する虹彩認証装置の概略の構成図である。
【００７９】
本実施例５では、実施例１、２、４において、カメラ２１ａの解像度を一定にして、表示の解像度を制御するようにしたものである。即ち、本実施例５の構成要素は、実施例１、２、４とほぼ同様であるが、制御方法が実施例１、２、４と異なる。実施例１、２、４では、目画像判定部２８の判定結果によって撮影部２１におけるカメラ２１ａの解像度を制御していたが、本実施例５では、画像の表示方法を制御している。以下、本実施例５の構成を詳細に説明する。
【００８０】
本実施例５の図７（ａ）に示す虹彩認証装置２０は、実施例１、２に対応するものであり、この実施例１、２と同様の撮影部２１、照明部２２、虹彩認識部２６、虹彩認識辞書２７及び目画像判定部２８と、実施例１、２とは機能の異なる制御手段（例えば、表示制御部）２４及び表示手段（例えば、表示部）２５とを有している。
【００８１】
表示部２５は、表示領域ＡＲ１の指定範囲ＡＲ２が設定されたディスプレイ２５ａを有し、表示制御部２４によって表示の解像度が可変され、この可変された解像度に基づき、撮影部２１で取得された目１８の画像をディスプレイ２５ａに表示する機能を有している。表示制御部２４は、表示領域ＡＲ１の指定範囲ＡＲ２内に目１８の画像が存在するか否かを判定する目画像判定部２８の判定結果が「在り」のときには、表示部２５の解像度を高くして、その判定された目１８の画像を表示領域ＡＲ１内に表示させる機能を有している。
【００８２】
ここで、実施例１に対応して、例えば、表示部２５は、表示の解像度が低解像度モード又は高解像度モードに切り替えて設定され、この設定された低解像度モード又は高解像度モードの解像度に基づき、撮影部２１で取得された目１８の画像をディスプレイ２５ａに表示する機能を有している。更に、表示制御部２４は、目画像判定部２８の判定結果が「在り」のときには、表示部２５の解像度を低解像度モードから高解像度モードへ切り替えて、その判定された目１８を含む画像を表示領域ＡＲ１内に表示させる機能を有している。
【００８３】
又、実施例２に対応して、例えば、表示制御部２４は、目画像判定部２８の判定結果が「在り」のときには、目１８の位置と、表示領域ＡＲ１内の適正位置とのずれの量に応じて、表示部２５の解像度を高くして、その判定された目１８を含む画像を表示領域ＡＲ１内に表示させる構成にしてもよい。
【００８４】
本実施例５の図７（ｂ）に示す虹彩認証装置２０Ａは、実施例４に対応するものであり、この実施例４と同様の撮影部２１、照明部２２、虹彩認識部２６、虹彩認識辞書２７、目画像判定部２８及びアニメデータ記憶部２９と、実施例４とは機能の異なる制御手段（例えば、表示制御部）２４及び表示手段（例えば、表示部）２５とを有している。
【００８５】
表示部２５は、表示領域ＡＲ１の指定範囲ＡＲ２が設定されたディスプレイ２５ａを有し、表示制御部２４によって表示の解像度が可変され、この可変された解像度に基づき、撮影部２１で取得された目１８の画像をディスプレイ２５ａに表示する機能を有している。更に、表示制御部２４は、表示領域ＡＲ１の指定範囲ＡＲ２内に目１８の画像が存在するか否かを判定する目画像判定部２８の判定結果が「在り」のときには、表示部２５の解像度を高くすると共に、アニメーションのデータを表示領域ＡＲ１内に表示させる機能を有している。
【００８６】
（実施例５の虹彩認証方法）
例えば、実施例２に対応する本実施例５の図７（ａ）の虹彩認証装置２０における虹彩認証方法を説明する。
【００８７】
実施例２では、使用者を撮影して、目画像判定部２８において適切な位置にある可能性を判定し、この結果によってカメラ２１ａの解像度を制御している。これに対し、本実施例５の図７（ａ）の虹彩認証装置２０では、使用者を撮影する際に解像度は一定（例えば、高解像度）にしておいて、カメラ２１ａによる撮影と目画像判定部２８による目画像判定を行う。撮影から目画像判定までの処理は、実施例２とほぼ同様である。
【００８８】
そして、本実施例５では、目画像判定結果に基づいて表示の解像度を制御する。即ち、目１８の存在確率が低いと表示する解像度を低くし（つまり、広い範囲が表示される）、目１８の存在確率が高いと、表示する解像度を高く（つまり、狭い範囲が表示される）する。これにより、表示領域ＡＲ１内に目１８が存在すると判定されても、適正な位置とずれがある場合は、そのずれの量に合わせて、より低解像度の表示がされ、ずれ量が小さくなるに従って、適正位置に近づくと、徐々に解像度が高い画像が表示される。
【００８９】
最終的に、目画像判定部２８により、指定領域ＡＲ２内に目１８が適正な位置で存在すると判定された場合、表示領域ＡＲ１に高解像度の目１８の画像が大写しにされた状態になっているので、その画像に基づいて、虹彩認識処理を行う。
【００９０】
なお、このような制御方法は、実施例１に対応する本実施例５の図７（ａ）の虹彩認証装置２０や、実施例４に対応する本実施例５の図７（ｂ）の虹彩認証装置２０Ａにおける虹彩認証方法にも、同様に適用される。
【００９１】
（実施例５の効果）  
本実施例５によれば、使用者にとっては実施例１、２、４とほぼ同様の効果を得ることができる。一方で、システム的には撮影時の解像度が一定なので、実施例１、２、４に比べ適応的に制御できない分、撮影速度は若干遅くなるが、一定の解像度の通常、安価なカメラ２１ａで構成でき、更に、複雑な制御がない分コストを安くすることができる。
【００９２】
（実施例１〜５の他の変形例）
例えば、虹彩認証装置２０，２０Ａは、精度の向上や用途の拡大等を図るために、図示以外の他の機能ブロックを追加する等してもよい。
【図面の簡単な説明】
【００９３】
【図１】本発明の実施例１に係る虹彩認証装置を示す概略の構成図である。
【図２】図１の虹彩認証装置におけるディスプレイ部分のカメラと照明用光源の配置、及び目の撮影時の画面表示を示す模式図である。
【図３】本発明の実施例２に係る虹彩認証装置の目画像判定部における目の存在確率の出力に合わせ、段階的に増加する解像度設定を示す図である。
【図４】本発明の実施例３の虹彩認証装置におけるディスプレイ部分のカメラと照明用光源の配置、及び目の撮影時の画面表示を示す模式図である。
【図５】本発明の実施例４に係る虹彩認証装置を示す概略の構成図である。
【図６】図５の虹彩認証装置におけるディスプレイ部分のカメラと照明用光源の配置、及び目の撮影時のアニメーションの表示を示す模式図である。
【図７】本発明の実施例５に係る虹彩認証装置を示す概略の構成図である。
【図８】従来の外部カメラ及び照明用光源を設けたＰＣ型虹彩認証装置を示す概略の構成図である。
【図９】図８のＰＣ型虹彩認証装置におけるディスプレイ部分のカメラと照明用光源の配置、及び目の撮影時の画面表示を示す模式図である。
【符号の説明】
【００９４】
２０，２０Ａ      虹彩認証装置
２１      撮影部
２１ａ，２１ａ−１，２１ａ−２      カメラ
２２      照明部
２２ａ      照明用光源
２３      入力部
２４      表示制御部
２５      表示部
２５ａ      ディスプレイ
２６      虹彩認識部
２７      虹彩認識辞書
２８      目画像判定部
２９      アニメデータ記憶部
【図１】
2009199392.tif 000003
【図２】
2009199392.tif 000004
【図３】
2009199392.tif 000005
【図４】
2009199392.tif 000006
【図５】
2009199392.tif 000007
【図６】
2009199392.tif 000008
【図７】
2009199392.tif 000009
【図８】
2009199392.tif 000010
【図９】
2009199392.tif 000011